(57)【要約】      （修正有）【課題】異なるネットワークにおいても対応するスライスに携帯端末をアクセス可能にする。【解決手段】システムは、仮想ネットワークであるスライスを複数含む５ＧＳのノード群であって、５ＧＳに含まれる複数のスライスのうちＵＥ３毎に使用が可能なスライスを特定するためのＮＳＳＡＩを格納する加入者情報格納部及びＵＥ３からの要求に応じてＵＥ３に対応したＮＳＳＡＩを５ＧＳに返信する加入者情報送信部を有するＵＤＭと、５ＧＳに含まれるスライスを特定するためのＮＳＳＡＩと、４Ｇ  ｅＤｅｃｏｒに含まれるスライスを特定するためのＤＣＮ  ＩＤとを対応付けた対応情報を格納する対応情報格納部及びＵＤＭから返信されたＮＳＳＡＩを基に、ＮＳＳＡＩに対応付けられているＤＣＮ  ＩＤを取得し、そのＤＣＮ  ＩＤを当該ＵＥ３に送信する特定情報送信部を有するＮＳＳＦと、を備える。【選択図】図２
2020194990.tif 000002
【特許請求の範囲】
【請求項１】
ネットワークインフラ上に生成される仮想ネットワークであるスライスを複数含む第１ネットワークのノード群であって、
前記第１ネットワークに含まれる前記複数のスライスのうち携帯端末毎に使用が可能な一のスライスを特定するための第１特定情報を格納する第１の格納部、及び
前記携帯端末から前記第１ネットワークを経由した要求に応じて、前記格納部に格納された前記携帯端末に対応した前記第１特定情報を、前記第１ネットワークに返信する第１の送信部
を有する第１のノードと、
前記第１ネットワークに含まれる前記複数のスライスのうち一のスライスを特定するための第２特定情報と、前記第１ネットワークとは異なる第２ネットワークに含まれるスライスを特定するための第３特定情報とを対応付けた対応情報を格納する第２の格納部、及び
前記第１の送信部から返信された前記第１特定情報を基に、前記第２の格納部から前記第１特定情報に対応する前記第２特定情報に対応付けられている前記第３特定情報を取得し、前記第３特定情報を前記第１ネットワークを経由して当該携帯端末に送信する第２の送信部
を有する第２のノードと、
を備えるノード群。
【請求項２】
前記第２の格納部は、前記対応情報の中に、前記第２特定情報によって特定されたスライスが前記第１ネットワーク内で使用可能であることを示す許可情報を、前記第２特定情報に対応付けてさらに格納し、
前記第２の送信部は、前記第１特定情報に対応する前記第２特定情報に対応付けられており、かつ、前記許可情報が対応付けられた前記第３特定情報を、前記第２の格納部から取得し、前記第３特定情報を前記携帯端末に送信する、
請求項１に記載のノード群。
【請求項３】
前記第１ネットワークは、移動体通信網であり、
前記第２の送信部は、前記携帯端末が前記第１ネットワークへ位置登録するときに前記第３特定情報を当該携帯端末に送信する、
請求項１又は２に記載のノード群。
【請求項４】
ネットワークインフラ上に生成される仮想ネットワークであるスライスを複数含む第１ネットワークのノード群であって、前記第１ネットワークに含まれる前記複数のスライスのうち携帯端末毎に使用が可能な一のスライスを特定するための第１特定情報を格納する第１の格納部を有する第１のノード、及び、前記第１ネットワークに含まれる前記複数のスライスのうち一のスライスを特定するための第２特定情報と、前記第１ネットワークとは異なる第２ネットワークに含まれるスライスを特定するための第３特定情報とを対応付けた対応情報を格納する第２の格納部を有する第２のノードを備えるノード群と、携帯端末とを含むネットワークシステムによるマイグレーション方法であって、
前記携帯端末が、前記第１ネットワークにアクセスする第１アクセスステップと、
前記第１のノードが、前記第１アクセスステップにて前記携帯端末がアクセスする場合であって前記携帯端末から前記第１ネットワークを経由した要求を受信する場合に、前記格納部に格納された前記携帯端末に対応した前記第１特定情報を、前記第１ネットワークに返信する第１送信ステップと、
前記第２のノードが、前記第１のノードから返信された前記第１特定情報を基に、前記第２の格納部から前記第１特定情報に対応する前記第２特定情報に対応付けられている前記第３特定情報を取得し、前記第３特定情報を前記第１ネットワークを経由して当該携帯端末に送信する第２送信ステップと、
前記携帯端末が、前記第２送信ステップにて送信された前記第３特定情報によって特定される前記第２ネットワークのスライスにアクセスする第２アクセスステップと、
を含むマイグレーション方法。
【発明の詳細な説明】
【技術分野】
【０００１】
本発明は、ネットワークに含まれるスライス（ネットワークインフラ上に生成される仮想ネットワーク）にアクセスする携帯端末を、別のネットワークに含まれるスライスにアクセス可能にするためのノード群及びマイグレーション方法に関する。
【背景技術】
【０００２】
下記非特許文献１では、スライスを複数含む５Ｇ（5th  Generation、第５世代移動通信システム）ネットワークシステム（５ＧＳ）において、ＮＳＳＡＩ（Network  Slice  Selection  Assistance  information）が特定するスライスにＵＥ（User  Equipment）を接続させることが開示されている。
【０００３】
下記非特許文献２では、スライスを複数含む４Ｇ（4th  Generation、第４世代移動通信システム）ネットワーク（４Ｇ  ｅＤｅｃｏｒ）において、ＤＣＮ  ＩＤ（Dedicated  Core  Network  ID）が特定するスライスにＵＥを接続させることが開示されている。
【先行技術文献】
【非特許文献】
【０００４】
【非特許文献１】３ＧＰＰ  ＴＳ  ２３．５０１  Ｖ０．３．１  （２０１７−０３）
【非特許文献２】３ＧＰＰ  ＴＳ  ２３．４０１  Ｖ１４．３．０  （２０１７−０３）
【発明の概要】
【発明が解決しようとする課題】
【０００５】
しかしながら、５ＧＳとｅＤｅｃｏｒとの間には互換性は担保されていない。それゆえに、例えば、５ＧＳに含まれるスライスにアクセスするＵＥが、ｅＤｅｃｏｒに含まれる対応するスライスにアクセスすることはできない。すなわち、異なるネットワークにおいて対応するスライスにＵＥがアクセスすることはできない。
【０００６】
そこで、本発明は、かかる課題に鑑みて為されたものであり、異なるネットワークにおいても対応するスライスに携帯端末をアクセス可能にすることができるノード群及びマイグレーション方法を提供することを目的とする。
【課題を解決するための手段】
【０００７】
上述の課題を解決するために、本発明の一側面にかかるノード群は、ネットワークインフラ上に生成される仮想ネットワークであるスライスを複数含む第１ネットワークのノード群であって、第１ネットワークに含まれる複数のスライスのうち携帯端末毎に使用が可能な一のスライスを特定するための第１特定情報を格納する第１の格納部、及び、携帯端末から第１ネットワークを経由した要求に応じて、格納部に格納された携帯端末に対応した第１特定情報を、第１ネットワークに返信する第１の送信部を有する第１のノードと、第１ネットワークに含まれる複数のスライスのうち一のスライスを特定するための第２特定情報と、第１ネットワークとは異なる第２ネットワークに含まれるスライスを特定するための第３特定情報とを対応付けた対応情報を格納する第２の格納部、及び、第１の送信部から返信された第１特定情報を基に、第２の格納部から第１特定情報に対応する第２特定情報に対応付けられている第３特定情報を取得し、第３特定情報を第１ネットワークを経由して当該携帯端末に送信する第２の送信部を有する第２のノードと、を備える。
【０００８】
あるいは、本発明の他の側面にかかるマイグレーション方法は、ネットワークインフラ上に生成される仮想ネットワークであるスライスを複数含む第１ネットワークのノード群であって、第１ネットワークに含まれる複数のスライスのうち携帯端末毎に使用が可能な一のスライスを特定するための第１特定情報を格納する第１の格納部を有する第１のノード、及び、第１ネットワークに含まれる複数のスライスのうち一のスライスを特定するための第２特定情報と、第１ネットワークとは異なる第２ネットワークに含まれるスライスを特定するための第３特定情報とを対応付けた対応情報を格納する第２の格納部を有する第２のノードを備えるノード群と、携帯端末とを含むネットワークシステムによるマイグレーション方法であって、携帯端末が、第１ネットワークにアクセスする第１アクセスステップと、第１のノードが、第１アクセスステップにて携帯端末がアクセスする場合であって携帯端末から第１ネットワークを経由した要求を受信する場合に、格納部に格納された携帯端末に対応した第１特定情報を、第１ネットワークに返信する第１送信ステップと、第２のノードが、第１のノードから返信された第１特定情報を基に、第２の格納部から第１特定情報に対応する第２特定情報に対応付けられている第３特定情報を取得し、第３特定情報を第１ネットワークを経由して当該携帯端末に送信する第２送信ステップと、携帯端末が、第２送信ステップにて送信された第３特定情報によって特定される第２ネットワークのスライスにアクセスする第２アクセスステップと、を含む。
【０００９】
上記一側面あるいは上記他の側面によれば、携帯端末から第１ネットワークにアクセスされた際に、当該携帯端末が使用可能なスライスに関する第１特定情報が第１のノードから第１ネットワークに返信され、それに対して、第１特定情報に対応するスライスに関する第２特定情報に対応付けられた第２ネットワークに含まれるスライスに関する第３特定情報が、第２のノードから当該携帯端末に送信される。これにより、例えば、第１ネットワークにアクセスする携帯端末は、第２のノードから送信された第３特定情報であって、自端末が使用可能な第１ネットワークのスライスに対応する第２ネットワークのスライスに関する第３特定情報を取得できる。その結果、携帯端末において第３特定情報を用いることで第２ネットワークのスライスにアクセスすることができる。すなわち、第１ネットワークに含まれるスライスにアクセスする携帯端末が、第２ネットワークに含まれる対応するスライスにアクセスすることができる。つまり、このような側面によれば、異なるネットワークにおいても携帯端末を対応するスライスにアクセス可能にすることができる。
【発明の効果】
【００１０】
本発明によれば、異なるネットワークにおいても対応するスライスに携帯端末をアクセス可能にすることができる。
【図面の簡単な説明】
【００１１】
【図１】本実施形態に係るネットワークシステムのシステム構成図である。
【図２】５Ｇネットワークシステムのシステム構成例を示す図である。
【図３】４Ｇネットワークのシステム構成例を示す図である。
【図４】本実施形態に係るＵＤＭの機能ブロック図である。
【図５】本実施形態に係るＮＳＳＦの機能ブロック図である。
【図６】本実施形態に係るＵＤＭ及びＮＳＳＦのハードウェア構成図である。
【図７】加入者情報のテーブル例を示す図である。
【図８】対応情報のテーブル例を示す図である。
【図９】本実施形態に係るネットワークシステムにより実行されるマイグレーション処理のうち位置登録時の処理の第１例を示すシーケンス図である。
【図１０】本実施形態に係るネットワークシステムにより実行されるマイグレーション処理のうち位置登録時の処理の第２例を示すシーケンス図である。
【図１１】位置登録後に５Ｇ  ＵＥが保持する対応情報のテーブル例を示す図である。
【図１２】本実施形態に係るネットワークシステムにより実行されるマイグレーション処理のうち４Ｇネットワークへのアクセス時の処理を示すシーケンス図である。
【発明を実施するための形態】
【００１２】
添付図面を参照しながら本発明の実施形態を説明する。可能な場合には、同一の部分には同一の符号を付して、重複する説明を省略する。
【００１３】
図１は、本実施形態に係るネットワークシステム４のシステム構成図である。図１に示す通り、ネットワークシステム４（ネットワークシステム）は、５ＧＳ１（第１ネットワーク）、４Ｇ  ｅＤｅｃｏｒ２（第２ネットワーク）、及び５Ｇ  ＵＥ３（携帯端末）を含んで構成される。
【００１４】
５ＧＳ１は、スライスを複数含む５Ｇネットワークシステムである。すなわち、５ＧＳ１は移動体通信網である。スライス（あるいはネットワークスライス）とは、ネットワーク装置のリンクとノードの資源を仮想的に切り分けて、切り分けた資源を結合し、ネットワークインフラ上に論理的に生成される仮想ネットワーク又はサービス網である。スライス同士は資源を分離しており、互いに干渉しない。サービスとは、通信サービス（専用線サービス等）やアプリケーションサービス（動画配信、エンベデッド装置等のセンサ装置を利用したサービス）等のネットワーク資源を用いたサービスをいう。図１に示すように、５ＧＳ１には複数のスライスＮＳ−１、ＮＳ−２、…、ＮＳ−ｘが含まれる。
【００１５】
図２は、５ＧＳ１のシステム構成例を示す図である。図２に示す５ＧＳ１は、５Ｇ  ＵＥ３、無線基地局装置であるｅＮＢ（evolved  Node  B）、モビリティ管理機能であるＡＭＦ（Access  and  Mobility  Management  Function）、加入者情報管理機能であるＵＤＭ（Unified  Data  Management、第１のノード）、スライス管理機能であるＮＳＳＦ（Network  Slice  Selection  Function、第２のノード）及びセッション管理機能である複数のＳＭＦ（Session  Management  Function）を含んで構成される。ｅＮＢ、ＡＭＦ及びＳＭＦ等の５ＧＳ１の構成要素の詳細については、上述の非特許文献１や５Ｇに関する各種文献等を参照されたい。５ＧＳ１において、１つのＳＭＦが、対応するスライス（ネットワークスライス、Network  Slice、ＮＳ）を管理する。５ＧＳ１では、ＮＳＳＡＩ（第１及び第２特定情報）がスライス選択時のパラメータとして用いられる。ＮＳＳＡＩは、複数のＳ−ＮＳＳＡＩで構成される。すなわち、ＮＳＳＡＩは、複数のＳ−ＮＳＳＡＩの集合である。各Ｓ−ＮＳＳＡＩの例として、“service  type”、“slice  type”及び“slice  differentiator”等が挙げられる。Ｓ−ＮＳＳＡＩは、ＳＤ（Slice  Differentiator）とＳＳＴ（Slice/Service  type）とを含んで構成される。図２において、５Ｇ  ＵＥ３は、registration  requestの際に、Ｓ−ＮＳＳＡＩをネットワーク側から受け取ることができる。ｅＮＢは、ＮＳＳＡＩに従い、Ｃｏｍｍｏｎ  ＣＰ（Control  Plane）を選択する。例えば、（ＮＳＳＡＩに含まれる）Ｓ−ＮＳＳＡＩ＃１は、Ｃｏｍｍｏｎ  ＣＰ＃１を選択する。また、ＡＭＦは、５Ｇ  ＵＥ３からｅＮＢを介してＮＳＳＡＩを受信し、受信したＮＳＳＡＩに基づきＳＭＦ（又は当該ＳＭＦが管理するスライス）を選択する。なお、本実施形態では、ＮＳＳＡＩとＳ−ＮＳＳＡＩとを適宜同列に扱う（同一視する）ものとする。すなわち、本実施形態では、ＮＳＳＡＩとＳ−ＮＳＳＡＩとを適宜読み替えてもよい。
【００１６】
ＵＤＭは、５Ｇ  ＵＥ３等の通信端末の契約情報、認証情報、通信サービス情報、端末タイプ情報及び在圏情報を含む加入者情報をデータベースで管理する機能である。ＮＳＳＦは、各スライスのトポロジ、各スライスを構成するノード、ＡＭＦの管理範囲等の情報をデータベースで管理する機能である。本実施形態のノード群は、少なくともＵＤＭ及びＮＳＳＦを含んで構成されている。ＵＤＭ、及びＮＳＳＦの構成の詳細については後述する。
【００１７】
図１に戻り、４Ｇ  ｅＤｅｃｏｒ２は、スライスを複数含む４Ｇネットワークである。すなわち、４Ｇ  ｅＤｅｃｏｒ２は移動体通信網である。図１に示すように、４Ｇ  ｅＤｅｃｏｒ２には複数のスライスＮＳ−Ａ、ＮＳ−Ｂ、…、ＮＳ−ｙが含まれる。
【００１８】
図３は、４Ｇ  ｅＤｅｃｏｒ２のシステム構成例を示す図である。図３に示す４Ｇ  ｅＤｅｃｏｒ２は、ユーザ端末であるＵＥ、ｅＮＢ、移動制御装置であるＭＭＥ（Mobility  Management  Entity）、ユーザ情報データベースであるＨＳＳ（Home  Subscriber  Serve）、ゲートウェイ装置であるＳＧＷ（Serving  Gateway）及びＳＧＷ／ＰＧＷ（Packet  data  network  Gateway）を含んで構成される。ＵＥ、ｅＮＢ、ＭＭＥ、ＨＳＳ、ＳＧＷ、及びＰＧＷ等の４Ｇ  ｅＤｅｃｏｒ２の構成要素の詳細については、上述の非特許文献２や４Ｇに関する各種文献等を参照されたい。４Ｇ  ｅＤｅｃｏｒ２において、ＭＭＥとＳＧＷ又はＳＧＷ／ＰＧＷとの組み合わせがスライス（又は専用コアネットワーク（Dedicated  Core  Network））に対応する。４Ｇ  ｅＤｅｃｏｒ２では、ＤＣＮ  ＩＤ（第３特定情報）がスライス選択時のパラメータとして用いられる。４Ｇ  ｅＤｅｃｏｒ２では、ＤＣＮ  ＩＤに基づき、ｅＮＢにおいてスライス選択が行われる。例えば、図３において、ＵＥからＤＣＮ  ＩＤ＃１を示すＤＣＮ  ＩＤを受信したｅＮＢは、ＤＣＮ  ＩＤ＃１が特定するスライス１を選択する。
【００１９】
図１に戻り、５Ｇ  ＵＥ３は、５Ｇにおけるユーザ端末である。具体的には、５Ｇ  ＵＥ３は、５Ｇ及び４Ｇの移動体通信を行う移動体通信端末、スマートフォン、又はノートパソコン等のコンピュータ装置である。
【００２０】
ここで、本実施形態において想定する前提条件について説明する。まず、５Ｇ  ＵＥ３は、５ＧＳ１に含まれる複数のスライスのうち、５Ｇ  ＵＥ３が５ＧＳ１に対して送信したＮＳＳＡＩに対応するスライスにアクセスする。次に、５Ｇ  ＵＥ３は、物理的に移動し、５ＧＳ１が提供されておらず、４Ｇ  ｅＤｅｃｏｒ２が提供されているエリアに移動する。次に、５Ｇ  ＵＥ３は、４Ｇ  ｅＤｅｃｏｒ２にアクセスする。以上が前提条件である。
【００２１】
本実施形態のネットワークシステム４によれば、５Ｇ  ＵＥ３は、４Ｇ  ｅＤｅｃｏｒ２にアクセスする際に、５ＧＳ１にてアクセスしていたスライスに対応するスライスであって、４Ｇ  ｅＤｅｃｏｒ２に含まれるスライスにアクセスすることができる。別の言い方をすれば、５Ｇ  ＵＥ３は、４Ｇ  ｅＤｅｃｏｒ２にアクセスする際に、５Ｇ  ＵＥ３が５ＧＳ１に対して送信したＮＳＳＡＩに基づいて選択された５ＧＳ１のスライスに対応するスライスであって、４Ｇ  ｅＤｅｃｏｒ２に含まれるスライスにアクセスすることができる。それを実現するために、ネットワークシステム４では、ＵＤＭが、５Ｇ  ＵＥ３毎に使用が可能なスライスに関するＮＳＳＡＩを管理し、ＮＳＳＦ又はＡＭＦが、ＮＳＳＡＩに対応するＤＣＮ  ＩＤを管理する。そして、５Ｇ  ＵＥ３が５ＧＳ１に位置登録（registration）する際に、５ＧＳ１が、ＮＳＳＡＩに対応するＤＣＮ  ＩＤを５Ｇ  ＵＥ３に通知する。そして、５Ｇ  ＵＥ３は、受け取ったＤＣＮ  ＩＤを４Ｇ  ｅＤｅｃｏｒ２にアクセスした際に利用する。以下、具体的に説明する。
【００２２】
図４は、５ＧＳ１に含まれる（５ＧＳ１の構成要素である）ＵＤＭ１０（第１のノード）の機能ブロック図である。図４に示す通り、ＵＤＭ１０は、加入者情報格納部１００（第１の格納部）及び加入者情報送信部１０１（第１の送信部）を含んで構成される。
【００２３】
また、図５は、５ＧＳ１に含まれる（５ＧＳ１の構成要素である）ＮＳＳＦ２０（第２のノード）の機能ブロック図である。図５に示す通り、ＮＳＳＦ２０は、対応情報格納部２００（第２の格納部）及び特定情報送信部２０１（第２の送信部）を含んで構成される。
【００２４】
図４および図５に示す機能ブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００２５】
例えば、ＵＤＭ１０及びＮＳＳＦ２０は、コンピュータとして機能してもよい。図６は、ＵＤＭ１０及びＮＳＳＦ２０のハードウェア構成の一例を示す図である。上述のＵＤＭ１０及びＮＳＳＦ２０は、物理的には、プロセッサ１００１、メモリ１００２、ストレージ１００３、通信装置１００４、入力装置１００５、出力装置１００６、バス１００７などを含むコンピュータ装置として構成されてもよい。
【００２６】
なお、以下の説明では、「装置」という文言は、回路、デバイス、ユニットなどに読み替えることができる。ＵＤＭ１０及びＮＳＳＦ２０のハードウェア構成は、図６に示した各装置を１つ又は複数含むように構成されてもよいし、一部の装置を含まずに構成されてもよい。
【００２７】
ＵＤＭ１０及びＮＳＳＦ２０における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００２８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述の加入者情報送信部１０１、特定情報送信部２０１などは、プロセッサ１００１で実現されてもよい。
【００２９】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、本実施形態で説明する動作の少なくとも一部をコンピュータに実行させるプログラムが用いられる。例えば、上述の加入者情報送信部１０１、特定情報送信部２０１などは、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００３０】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本実施形態に係るページング方法を実施するために実行可能なプログラム（プログラムコード）、ソフトウェアモジュールなどを保存することができる。
【００３１】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。例えば、上述の加入者情報格納部１００、対応情報格納部２００などは、ストレージ１００３で実現されてもよい。
【００３２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の加入者情報送信部１０１、特定情報送信部２０１などは、通信装置１００４で実現されてもよい。
【００３３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００３４】
また、プロセッサ１００１やメモリ１００２などの各装置は、情報を通信するためのバス１００７で接続される。バス１００７は、単一のバスで構成されてもよいし、装置間で異なるバスで構成されてもよい。
【００３５】
また、ＵＤＭ１０及びＮＳＳＦ２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００３６】
以下、図４に示すＵＤＭ１０の各機能ブロックについて説明する。
【００３７】
加入者情報格納部１００は、５ＧＳ１によって提供されるサービスを利用する加入者を管理する情報を格納する。すなわち、加入者情報格納部１００は、５Ｇ  ＵＥ３を識別する端末識別情報（ＵＥ−ＩＤ）と、５ＧＳ１に含まれる複数のスライスのうちその５Ｇ  ＵＥ３が使用可能な一のスライスを特定するための第１特定情報であるＳ−ＮＳＳＡＩ（又はＮＳＳＡＩ）とを対応付けた加入者情報を格納する。図７は、加入者情報格納部１００によって格納された加入者情報のテーブル例を示す図である。図７に示す対応情報のテーブル例では、ＵＥ−ＩＤと、第１特定情報であるＳｕｂｓｃｒｉｂｅｄ  ＮＳＳＡＩとが対応付けられている。このＳｕｂｓｃｒｉｂｅｄ  ＮＳＳＡＩは、Ｓ−ＮＳＳＡＩであるＳＤ（Slice  Differentiator）とＳＳＴ（Slice/Service  type）とによって構成される。なお、１つのＵＥ−ＩＤには、複数組のＳ−ＮＳＳＡＩが対応付けられていてもよい。このような加入者情報には、複数の５Ｇ  ＵＥ３毎に使用可能なスライスに関する第１特定情報（Ｓｕｂｓｃｒｉｂｅｄ  ＮＳＳＡＩ）が管理される。
【００３８】
図４に戻り、加入者情報送信部１０１は、５Ｇ  ＵＥ３から５ＧＳ１内の他のノード等を経由した位置登録の要求に応じて、加入者情報格納部１００によって格納された加入者情報から、該当の５Ｇ  ＵＥ３の端末識別情報（ＵＥ−ＩＤ）に対応付けられている第１特定情報（Ｓｕｂｓｃｒｉｂｅｄ  ＮＳＳＡＩ）を抽出し、抽出した第１特定情報を、５ＧＳ１内の要求元の他のノード等に返信する。ここで、加入者情報送信部１０１は、位置登録の要求に応じて第１特定情報を返信することには限定されず、接続要求等の５Ｇ  ＵＥ３からの他の要求に応じて第１特定情報を返信してもよい。
【００３９】
次に、図５に示すＮＳＳＦ２０の各機能ブロックについて説明する。
【００４０】
対応情報格納部２００は、５ＧＳ１に含まれる複数のスライスのうち一のスライスを特定するための第２特定情報であるＳ−ＮＳＳＡＩ（又はＮＳＳＡＩ）と、５ＧＳ１とは異なるネットワークである４Ｇ  ｅＤｅｃｏｒ２に含まれるスライスを特定するための第３特定情報であるＤＣＮ  ＩＤとを対応付けた対応情報を格納する。対応情報においては、第２特定情報によって特定されたスライスが５ＧＳ１内で使用可能であることを示す許可情報（Ａｌｌｏｗｅｄ  ＮＳＳＡＩ）が、第２特定情報にさらに対応付けられていてもよい。第２特定情報と同一のＮＳＳＡＩが許可情報として記憶されている場合は、その第２特定情報によって特定されるスライスが使用可能であることが示される。さらに、対応情報においては、第２特定情報によって特定されるスライスにおける通信接続を管理するＡＭＦを特定する情報（ＡＭＦ）が、第２特定情報にさらに対応付けられていてもよい。また、対応情報は、５Ｇ  ＵＥ３の位置登録エリア（Ｌｏｃａｔｉｏｎ）毎に管理されていてもよい。
【００４１】
図８は、対応情報格納部２００によって格納された対応情報のテーブル例を示す図である。図８に示す対応情報のテーブル例では、第２特定情報であるＳｕｂｓｃｒｉｂｅｄ  ＮＳＳＡＩに対して、許可情報であるＡｌｌｏｗｅｄ  ＮＳＳＡＩと、第３特定情報であるＤＣＮ  ＩＤと、ＡＭＦを特定する情報（ＡＭＦ）と、位置登録エリアを示す情報（Ｌｏｃａｔｉｏｎ）とが対応付けられている。なお、Ｓ−ＮＳＳＡＩとＤＣＮ  ＩＤとは、双方とも表す情報は同じ、かつ４Ｇ／５Ｇを意識しないので、パラメータが重複してもよい。また、ｂｉｔ長等、表現方法が異なってもよい。
【００４２】
図５に戻り、特定情報送信部２０１は、ＵＤＭ１０から５ＧＳ１内の他のノードを経由して第１特定情報（Ｓｕｂｓｃｒｉｂｅｄ  ＮＳＳＡＩ）を受信する場合に、対応情報格納部２００によって格納された対応情報から、受信した第１特定情報（Ｓｕｂｓｃｒｉｂｅｄ  ＮＳＳＡＩ）に対応する第２特定情報に対応付けられている第３特定情報（ＤＣＮ  ＩＤ）及び許可情報（Ａｌｌｏｗｅｄ  ＮＳＳＡＩ）を抽出し、抽出したＤＣＮ  ＩＤ及びＡｌｌｏｗｅｄ  ＮＳＳＡＩを、５Ｇ  ＵＥ３に（５ＧＳ１内の他のノード等を介して）送信する。なお、特定情報送信部２０１は、５Ｇ  ＵＥ３が５ＧＳ１へ位置登録するときにＤＣＮ  ＩＤを当該５Ｇ  ＵＥ３に送信してもよい。より具体的には、特定情報送信部２０１は、５Ｇ  ＵＥ３が５ＧＳ１へ位置登録するときに、（位置登録要求と共に）５Ｇ  ＵＥ３から（他のノード等を介して）ＮＳＳＡＩを受信する場合に、対応情報格納部２００によって格納された対応情報において受信したＮＳＳＡＩに対応付けられているＤＣＮ  ＩＤを抽出し、抽出したＤＣＮ  ＩＤを当該５Ｇ  ＵＥ３に（他のノード等を介して）送信してもよい。
【００４３】
また、特定情報送信部２０１は、対応情報格納部２００によって格納された対応情報から第３特定情報（ＤＣＮ  ＩＤ）を抽出する際には、許可情報によって使用可能であると示されたスライスに対応するＤＣＮ  ＩＤ及びＡｌｌｏｗｅｄ  ＮＳＳＡＩを抽出するようにしてもよい。具体的には、特定情報送信部２０１は、Ｓｕｂｓｃｒｉｂｅｄ  ＮＳＳＡＩに対応付けられおり、かつ、そのＳｕｂｓｃｒｉｂｅｄ  ＮＳＳＡＩに同一のＡｌｌｏｗｅｄ  ＮＳＳＡＩが対応付けられているＤＣＮ  ＩＤのみを取得し、そのＤＣＮ  ＩＤのみを送信するようにしてもよい。
【００４４】
以下、ＵＤＭ１０及びＮＳＳＦ２０の処理を含む、ネットワークシステム４の処理について、図９及び図１０を用いて説明する。図９は、ネットワークシステム４により実行されるマイグレーション処理（マイグレーション方法）のうち、５ＧＳ１への位置登録時の処理の第１例を示すシーケンス図である。なお、５ＧＳ１には、図９に示す通り、５Ｇ  ＵＥ３、５Ｇ  ＲＡＮ（Radio  Access  Network）、Ｄｅｆａｕｌｔ  ＡＭＦ、Ｄｅｄｉｃａｔｅｄ  ＡＭＦ、ＵＤＭ１０、及びＳＭＦ（Session  Management  Function）  ａｎｄ  ＵＰＦ（User  Plane  Function）が含まれるものとする。Ｄｅｆａｕｌｔ  ＡＭＦは、５Ｇ  ＵＥ３による初回接続時に位置登録の要求がＲＡＮから転送されるＡＭＦであり、Ｄｅｄｉｃａｔｅｄ  ＡＭＦは、初回接続時以降に位置登録の要求に含まれるＮＳＳＡＩに基づいて位置登録の要求が転送されるＡＭＦである。また、処理の全過程（又は一部）において、５Ｇ  ＵＥ３の端末識別情報（ＵＥ−ＩＤ）があわせて転送されるものとする。
【００４５】
図９において、まず、５Ｇ  ＵＥ３から５Ｇ  ＲＡＮに対して、位置登録要求であるRegistration  Requestが送信されることにより、５ＧＳ１にアクセスされる（ステップＳ１）。当該要求には、接続を希望するＮＳＳＡＩ（Configured  NSSAI）であるＲｅｑｕｅｓｔｅｄ  ＮＳＳＡＩが含まれる。当該ＮＳＳＡＩには、Ｓ−ＮＳＳＡＩ−１及びＳ−ＮＳＳＡＩ−２が含まれる。
【００４６】
次に、５Ｇ  ＲＡＮにて、５Ｇ  ＵＥ３からの初回接続の為、Ｄｅｆａｕｌｔ  ＡＭＦに転送すると判断される（ステップＳ２）。次に、５Ｇ  ＲＡＮからＤｅｆａｕｌｔ  ＡＭＦに対して、Registration  Requestが送信される（ステップＳ３）。当該要求には、Ｓ１にて送信されたＲｅｑｕｅｓｔｅｄ  ＮＳＳＡＩが含まれる。
【００４７】
次に、Ｄｅｆａｕｌｔ  ＡＭＦは、Registration  Requestを受けたことに応じて、ＵＤＭ１０に対して、Subscription  Requestを送信する（ステップＳ４）。当該要求には、Registration  Requestの送信元の５Ｇ  ＵＥ３に関するＵＥ−ＩＤが含まれる。これに対して、ＵＤＭ１０の加入者情報送信部１０１により、加入者情報格納部１００によって格納されている加入者情報から、Ｓ４にて送信された５Ｇ  ＵＥ３のＵＥ−ＩＤに対応するＳｕｂｓｃｒｉｂｅｄ  ＮＳＳＡＩが抽出（検索）される。そして、抽出されたＳｕｂｓｃｒｉｂｅｄ  ＮＳＳＡＩが、ＵＤＭ１０からＤｅｆａｕｌｔ  ＡＭＦに対して送信される（ステップＳ５）。このＮＳＳＡＩには、同一のスライスに対応するＳ−ＮＳＳＡＩの組であるＳｕｂｓｃｒｉｂｅｄ  Ｓ−ＮＳＳＡＩｓが含まれる。
【００４８】
次に、Ｄｅｆａｕｌｔ  ＡＭＦにて、ステップＳ３で受信したＲｅｑｕｅｓｔｅｄ  ＮＳＳＡＩに関する対応情報をすでに保持しているか判断され、保持している場合には、後述するステップＳ７ａ、Ｓ７ｂ、Ｓ８ａ、Ｓ８ｂの処理はスキップして、Ｒｅｑｕｅｓｔｅｄ  ＮＳＳＡＩに対応するＡｌｌｏｗｅｄ  ＮＳＳＡＩ及びＤＣＮ  ＩＤを５Ｇ  ＵＥ３に送信する。その一方で、対応情報を保持していない場合には、下記の手順に移る（ステップＳ６）。すなわち、Ｄｅｆａｕｌｔ  ＡＭＦからＮＳＳＦ２０に対して、ＵＤＭ１０から取得したＳｕｂｓｃｒｉｂｅｄ  ＮＳＳＡＩと、位置登録要求に含まれていたＲｅｑｕｅｓｔｅｄ  ＮＳＳＡＩとを含むスライス選択要求（Slice  Selection  Request）が送信される（ステップＳ７ａ）。これに対して、ＮＳＳＦ２０の特定情報送信部２０１により、対応情報格納部２００によって格納された対応情報から、Ｓｕｂｓｃｒｉｂｅｄ  ＮＳＳＡＩに対応付けられた許可情報（Ａｌｌｏｗｅｄ  ＮＳＳＡＩ）及びＤＣＮ  ＩＤが抽出され、抽出されたＡｌｌｏｗｅｄ  ＮＳＳＡＩ及びＤＣＮ  ＩＤを含むスライス選択応答（Slice  Selection  Response）が、Ｄｅｆａｕｌｔ  ＡＭＦに送信される（ステップＳ７ｂ）。このスライス選択応答には、ＮＳＳＦ２０に格納された対応情報におけるＡｌｌｏｗｅｄ  ＮＳＳＡＩに対応するＡＭＦ情報が含まれていてもよい。
【００４９】
次に、Ｄｅｆａｕｌｔ  ＡＭＦ（及び５Ｇ  ＲＡＮ）により、後述のＳ８ａ又はＳ８ｂが実行される。すなわち、Ｄｅｆａｕｌｔ  ＡＭＦから５Ｇ  ＲＡＮに対して、続いて、５Ｇ  ＲＡＮからＤｅｄｉｃａｔｅｄ  ＡＭＦに対して、Reroute  NAS  messageが送信される（当該メッセージには、Ｓ７ｂにて受信されたＮＳＳＡＩ及びＤＣＮ  ＩＤが含まれる）（ステップＳ８ａ）、又は、Ｄｅｆａｕｌｔ  ＡＭＦからＤｅｄｉｃａｔｅｄ  ＡＭＦに対して、Reroute  NAS  messageが送信される（当該メッセージには、Ｓ７ｂにて受信されたＮＳＳＡＩ及びＤＣＮ  ＩＤが含まれる）（ステップＳ８ｂ）。
【００５０】
次に、Ｄｅｄｉｃａｔｅｄ  ＡＭＦとＳＭＦ  ａｎｄ  ＵＰＦとの間で、UP  Establishment  Req/Respが送受信される（ステップＳ９）。次に、Ｄｅｄｉｃａｔｅｄ  ＡＭＦから５Ｇ  ＵＥ３に対して、Registration  Responseが送信される（ステップＳ１０）。当該レスポンスには、Ｓ８ａ又はＳ８ｂにて送信されたＮＳＳＡＩ及びＤＣＮ  ＩＤが含まれる。
【００５１】
図１０は、ネットワークシステム４により実行されるマイグレーション処理（マイグレーション方法）のうち、５ＧＳ１への位置登録時の処理の（第１例とは異なる）第２例を示すシーケンス図である。以下では、主に図９にて説明したシーケンス図との差分について説明する。
【００５２】
図１０において、Ｓ２０〜Ｓ２２は、それぞれ図９のＳ１〜Ｓ３と同様である。また、Ｓ２３ａ及びＳ２３ｂは、それぞれ図９のＳ８ａ及びＳ８ｂと同様である。Ｓ２４〜Ｓ２７は、それぞれ図９のＳ４〜Ｓ５、Ｓ７ａ〜Ｓ７ｂと同様であり、差分は、Ｓ４，Ｓ７ａの送信元及びＳ５，Ｓ７ｂの送信先がＤｅｆａｕｌｔ  ＡＭＦからＤｅｄｉｃａｔｅｄ  ＡＭＦに変更された点である。Ｓ２８及びＳ２９は、それぞれ図７のＳ９及びＳ１０と同様である。すなわち、図９と図１０の処理手順は、リダイレクト処理が前後している点のみが異なる。
【００５３】
以上の通り、Ｓ−ＮＳＳＡＩに対応するＤＣＮ  ＩＤが、５Ｇ  ＵＥ３に通知される。図９のＳ１０の後（位置登録後）、又は、図１０のＳ２９の後（位置登録後）、５ＧＳ１（ＮＳＳＦ２０）からＤＣＮ  ＩＤを受信した５Ｇ  ＵＥ３は、当該ＤＣＮ  ＩＤを、Ｓ１又はＳ２０にて送信したＳ−ＮＳＳＡＩ及び当該Ｓ−ＮＳＳＡＩが特定するスライスにて利用予定のアプリケーションを識別する情報と対応付けて自端末に格納する。図１１は、位置登録後に５Ｇ  ＵＥが保持する対応情報のテーブル例を示す図である。図１１に示す対応情報のテーブル例では、アプリケーションを識別する情報と、Ｓ−ＮＳＳＡＩと、ＤＣＮ  ＩＤとが対応付けられている。
【００５４】
続いて、図１２を用いて、５ＧＳ１（ＮＳＳＦ２０）からＤＣＮ  ＩＤを受信した５Ｇ  ＵＥ３による、４Ｇ  ｅＤｅｃｏｒ２へのアクセス時の手順について説明する。図１２は、本実施形態に係るネットワークシステム４により実行されるマイグレーション処理のうち、４Ｇ  ｅＤｅｃｏｒ２へのアクセス時の処理を示すシーケンス図である。なお、４Ｇ  ｅＤｅｃｏｒ２には、図１２に示す通り、５Ｇ  ＵＥ３、４Ｇ  ＲＡＮ、Ｄｅｆａｕｌｔ  ＭＭＥ、Ｄｅｄｉｃａｔｅｄ  ＭＭＥ、ＨＳＳ、及びＤｅｄｉｃａｔｅｄ  Ｓ／ＰＧＷが含まれるものとする。
【００５５】
図１２において、まず、５Ｇ  ＵＥ３から４Ｇ  ＲＡＮに対して、アタッチ要求であるAttach  Requestが送信される（ステップＳ３０）。当該要求には、５ＧＳ１（ＮＳＳＦ２０）から受信したＤＣＮ  ＩＤ（Accepted  DCN  ID）及びＡＰＮ（Access  Point  Name）が含まれる。次に、４Ｇ  ＲＡＮにて、５Ｇ  ＵＥ３からの初回接続の為、Ｄｅｆａｕｌｔ  ＭＭＥに転送すると判断される（ステップＳ３１）。次に、４Ｇ  ＲＡＮからＤｅｆａｕｌｔ  ＭＭＥに対して、Attach  Requestが送信される（ステップＳ３２）。当該要求には、Ｓ３０にて送信されたＤＣＮ  ＩＤ及びＡＰＮが含まれる。次に、Ｄｅｆａｕｌｔ  ＭＭＥからＨＳＳに対して、UE  subscription  Requestが送信される（ステップＳ３３）。当該要求には、Ｓ３２にて送信されたＤＣＮ  ＩＤが含まれる。次に、ＨＳＳからＤｅｆａｕｌｔ  ＭＭＥに対して、UE  subscription  Responseが送信される（ステップＳ３４）。当該要求には、Ｓ３３にて送信されたＤＣＮ  ＩＤに対応する一つ以上のＤＣＮ  ＩＤ（Subscribed  DCN  ID(s)）が含まれる。
【００５６】
次に、Ｄｅｆａｕｌｔ  ＭＭＥから４Ｇ  ＲＡＮに対して、続いて、４Ｇ  ＲＡＮからＤｅｄｉｃａｔｅｄ  ＭＭＥに対して、Re-route  Requestが送信される（ステップＳ３５）。当該メッセージには、ＧＵＭＭＥＩ（Globally  Unique  MME  Identifier）と、Ｓ３４にて送られてきたＤＣＮ  ＩＤと、Ｓ３２にて送られてきたＡＰＮとが含まれる。次に、Ｄｅｄｉｃａｔｅｄ  ＭＭＥとＤｅｄｉｃａｔｅｄ  Ｓ／ＰＧＷとの間で、Create  Session  Req/Respが送受信される（ステップＳ３６）。次に、Ｄｅｄｉｃａｔｅｄ  ＭＭＥから５Ｇ  ＵＥ３に対して、Attach  Acceptが送信される（ステップＳ３７）。当該アクセプトには、Ｓ３５にて送信されたＤＣＮ  ＩＤと、当該ＤＣＮ  ＩＤを５Ｇ  ＵＥ３にてアプリケーションにマッピングするためのポリシーとが含まれる。
【００５７】
次に、本実施形態のように構成されたネットワークシステム４の作用効果について説明する。
【００５８】
ここで、従来では、５Ｇ  ＵＥが、５ＧＳに含まれるスライスにアクセスした後に、４Ｇ  ｅＤｅｃｏｒが提供されているエリアに移動し、対応する４Ｇ  ｅＤｅｃｏｒに含まれるスライスにアクセスすることは考慮されていなかった。すなわち、５ＧＳから４Ｇ  ｅＤｅｃｏｒへの後方互換性は担保されていなかった。後方互換性の観点からは、ＮＳＳＡＩとＤＣＮ  ＩＤとを対応付ける必要がある。
【００５９】
本実施形態のように構成されたネットワークシステム４（に含まれるＵＤＭ１０及びＮＳＳＦ２０を含むノード群）によれば、５Ｇ  ＵＥ３から５ＧＳ１に位置登録要求（アクセス）された際に、当該５Ｇ  ＵＥ３が使用可能なスライスに関するＳｕｂｓｃｒｉｂｅｄ  ＮＳＳＡＩがＵＤＭ１０から５ＧＳ１に返信され、それに対して、Ｓｕｂｓｃｒｉｂｅｄ  ＮＳＳＡＩに対応するＮＳＳＡＩに対応付けられた４Ｇ  ｅＤｅｃｏｒ２に含まれるスライスに関するＤＣＮ  ＩＤが、ＮＳＳＦ２０から当該５Ｇ  ＵＥ３に送信される。これにより、例えば、５ＧＳ１にアクセスする５Ｇ  ＵＥ３は、ＮＳＳＦ２０から送信されたＤＣＮ  ＩＤであって、自端末が使用可能な５ＧＳ１のスライスに対応する４Ｇ  ｅＤｅｃｏｒ２のスライスに関するＤＣＮ  ＩＤを取得できる。その結果、５Ｇ  ＵＥ３においてＤＣＮ  ＩＤを用いることで４Ｇ  ｅＤｅｃｏｒ２のスライスにアクセスすることができる。すなわち、５ＧＳ１に含まれるスライスにアクセスする５Ｇ  ＵＥ３が、４Ｇ  ｅＤｅｃｏｒ２に含まれる対応するスライスにアクセスすることができる。つまり、このようなネットワークシステム４（に含まれるノード群）によれば、異なるネットワークにおいても５Ｇ  ＵＥ３を対応するスライスにアクセス可能にすることができる。
【００６０】
また、本実施形態のように構成されたネットワークシステム４（に含まれるノード群）によれば、ＮＳＳＦ２０によって、Ｓｕｂｓｃｒｉｂｅｄ  ＮＳＳＡＩに対応するＮＳＳＡＩに対応付けられており、かつ、Ａｌｌｏｗｅｄ  ＮＳＳＡＩが対応付けられたＤＣＮ  ＩＤが５Ｇ  ＵＥ３に送信される。これによって、５ＧＳ１において使用可能とされたスライスに対応する４Ｇ  ｅＤｅｃｏｒ２のスライスに関する情報のみ５Ｇ  ＵＥ３に送信することができる。そのため、５ＧＳ１と４Ｇ  ｅＤｅｃｏｒ２とによって５Ｇ  ＵＥ３に提供されるサービスに統一性を持たせることができる。
【００６１】
また、本実施形態のように構成されたネットワークシステム４（に含まれるノード群）によれば、５ＧＳ１は移動体通信網であり、５Ｇ  ＵＥ３が５ＧＳ１へ位置登録するときにＤＣＮ  ＩＤが当該５Ｇ  ＵＥ３に送信される。これにより、５Ｇ  ＵＥ３は、既存の位置登録処理を行うだけで、その他の特別な処理を行うこと無く、ＤＣＮ  ＩＤを取得することができる。すなわち、ネットワークシステム４を構築する上で、既存のノードや処理をほぼそのまま利用できるため、コスト効率が良く、また、特別な処理を行う必要がないので、より高速にＤＣＮ  ＩＤを取得することができる。
【００６２】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００６３】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【００６４】
本明細書で説明した各態様／実施形態は、ＬＴＥ、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００６５】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００６６】
本明細書において特定の装置によって行われるとした特定動作は、場合によってはその上位ノード（upper  node）によって行われることもある。例えば、特定の装置が基地局であった場合においては、当該基地局を有する１つまたは複数のネットワークノード（network  nodes）からなるネットワークにおいて、端末との通信のために行われる様々な動作は、基地局および／または基地局以外の他のネットワークノード（例えば、ＭＭＥまたはＳ−ＧＷなどが考えられるが、これらに限られない）によって行われ得ることは明らかである。上記において基地局以外の他のネットワークノードが１つである場合を例示したが、複数の他のネットワークノードの組み合わせ（例えば、ＭＭＥおよびＳ−ＧＷ）であってもよい。
【００６７】
情報等は、上位レイヤ（または下位レイヤ）から下位レイヤ（または上位レイヤ）へ出力され得る。複数のネットワークノードを介して入出力されてもよい。
【００６８】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【００６９】
判定は、１ビットで表される値（０か１か）によって行われてもよいし、真偽値（Boolean：trueまたはfalse）によって行われてもよいし、数値の比較（例えば、所定の値との比較）によって行われてもよい。
【００７０】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００７１】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００７２】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００７３】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００７４】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００７５】
本明細書で使用する「システム」および「ネットワーク」という用語は、互換的に使用される。
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００７６】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００７７】
基地局は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Remote  Radio  Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」「ｅＮＢ」、「セル」、および「セクタ」という用語は、本明細書では互換的に使用され得る。基地局は、固定局（fixed  station）、ＮｏｄｅＢ、ｅＮｏｄｅＢ（ｅＮＢ）、アクセスポイント（access  point）、フェムトセル、スモールセルなどの用語で呼ばれる場合もある。
【００７８】
移動通信端末は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００７９】
本明細書で使用する「判断（determining）」、「決定（determining）」という用語は、多種多様な動作を包含する場合がある。「判断」、「決定」は、例えば、計算（calculating）、算出（computing）、処理（processing）、導出（deriving）、調査（investigating）、探索（looking  up）（例えば、テーブル、データベースまたは別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。
【００８０】
「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００８１】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８２】
本明細書で「第１の」、「第２の」などの呼称を使用した場合においては、その要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００８３】
上記の各装置の構成における「手段」を、「部」、「回路」、「デバイス」等に置き換えてもよい。
【００８４】
「含む（include）」、「含んでいる（including）」、およびそれらの変形が、本明細書あるいは特許請求の範囲で使用されている限り、これら用語は、用語「備える（comprising）」と同様に、包括的であることが意図される。さらに、本明細書あるいは特許請求の範囲において使用されている用語「または（or）」は、排他的論理和ではないことが意図される。本明細書において、文脈または技術的に明らかに1つのみしか存在しない装置である場合以外は、複数の装置をも含むものとする。
【００８５】
本開示の全体において、文脈から明らかに単数を示したものではなければ、複数のものを含むものとする。
【符号の説明】
【００８６】
１…５ＧＳ（第１のネットワーク）、２…４Ｇ  ｅＤｅｃｏｒ（第２のネットワーク）、３…５Ｇ  ＵＥ（携帯端末）、４…ネットワークシステム（ノード群）、１０…ＵＤＭ（第１のノード）、２０…ＮＳＳＦ（第２のノード）、１００…加入者情報格納部（第１の格納部）、１０１…加入者情報送信部（第１の送信部）、２００…対応情報格納部（第２の格納部）、２０１…特定情報送信部（第２の送信部）。
【図１】
2020194990.tif 000003
【図２】
2020194990.tif 000004
【図３】
2020194990.tif 000005
【図４】
2020194990.tif 000006
【図５】
2020194990.tif 000007
【図６】
2020194990.tif 000008
【図７】
2020194990.tif 000009
【図８】
2020194990.tif 000010
【図９】
2020194990.tif 000011
【図１０】
2020194990.tif 000012
【図１１】
2020194990.tif 000013
【図１２】
2020194990.tif 000014